(57)【特許請求の範囲】
【請求項１】
グループ通信を行う通信部と、指示を入力する入力部と、報知部と、前記通信部においてグループ通信の開始通知を受信すると当該開始通知に基づいて所定のサーバ装置を介して前記通信部によりグループ通信を行う制御部とを備える通信装置において、
前記制御部は、受信した開始通知に基づいて開始したグループ通信が終了すると、当該開始したグループ通信中に前記通信部による自装置からの情報送信又は前記入力部における指示の入力が無かった場合には、前記報知部により報知する
ことを特徴とする通信装置。
【請求項２】
前記制御部は、前記通信部において前記開始通知を受信すると、自動的に前記通信部によりグループ通信処理を行う
ことを特徴とする請求項１に記載の通信装置。
【請求項３】
記憶部を備え、
前記制御部は、前記グループ通信中に前記通信部において送受信した通信情報を前記記憶部に記憶させ、当該グループ通信が終了すると、前記記憶部に記憶される通信情報をもとに自装置からの情報送信の有無を判定する
ことを特徴とする請求項１または２に記載の通信装置。
【請求項４】
前記制御部は、前記記憶部に記憶される通信情報に自装置から送信した情報が含まれない場合、自装置からの情報送信が無かったと判定する
ことを特徴とする請求項３に記載の通信装置。
【請求項５】
前記通信情報は、グループ通信中における情報の送信者を示す送信者名を含んでおり、
前記記憶部は、自装置の使用者名を記憶し、
前記制御部は、前記通信情報の中の送信者名に前記使用者名が含まれない場合、自装置からの情報送信が無かったと判定する
ことを特徴とする請求項３又は４に記載の通信装置。
【請求項６】
前記通信情報において前記送信者名を表すデータは、そのデータ長が所定値以下に制限されており、
前記制御部は、前記記憶部にて記憶する前記使用者名のデータ長が前記所定値より長い場合、当該使用者名に前方一致する送信者名が前記通信情報に含まれているか否かにより、前記使用者名が前記通信情報に含まれているか否かを判定する
ことを特徴とする請求項５に記載の通信装置。
【請求項７】
記憶部を備え、
前記制御部は、実行中のグループ通信に関して前記入力部において入力される指示に関する情報を前記記憶部に記憶させ、当該グループ通信が終了すると、前記記憶部に記憶される情報をもとに当該グループ通信に関して前記入力部に指示が入力されたか否かを判定する
ことを特徴とする請求項１または２に記載の通信装置。
【請求項８】
前記制御部は、前記記憶部に記憶される情報の中に、グループ通信中に入力された指示に関する情報が含まれる場合、当該グループ通信に関して前記入力部に指示が入力されたと判定する
ことを特徴とする請求項７に記載の通信装置。
【請求項９】
前記制御部は、グループ通信中に所定の条件が成立すると当該グループ通信を自動的に終了し、当該終了したグループ通信が自動的に開始されたものであり、かつ、当該グループ通信に関して前記通信部における自装置からの情報送信又は前記入力部における指示の入力が無かった場合には、前記報知部により前記報知を行う
ことを特徴とする請求項２に記載の通信装置。
【請求項１０】
前記所定の条件は、前記通信部においてグループ通信の終了通知が受信された場合、及び、前記通信部においてグループ通信に関わる情報の送受信が所定時間以上行われない場合の少なくとも一方である
ことを特徴とする請求項９に記載の通信装置。
【請求項１１】
前記制御部は、前記開始通知に応答して自動的に開始された複数のグループ通信が終了すると、当該複数のグループ通信の少なくとも１つに関して前記通信部における自装置からの情報送信又は前記入力部における指示の入力が無かった場合には、前記報知部により前記報知を行う
ことを特徴とする請求項２に記載の通信装置。
【請求項１２】
グループ通信を行う通信部と、
指示を入力する入力部と、
情報を記憶する記憶部と、
報知部と、
前記通信部においてグループ通信の開始通知が受信されると、前記通信部によりグループ通信を自動的に開始するグループ通信制御部と、
前記グループ通信制御部が自動的にグループ通信を開始すると、当該グループ通信中に送受信されるデータの送信者に関する情報、及び／又は、当該グループ通信中に前記入力部から入力される指示に関する情報を前記記憶部に記憶させ、前記自動的に開始したグループ通信が終了すると、当該グループ通信への参加を示す情報が前記記憶部に記憶されていない場合には、前記開始通知の受信を前記報知部により報知する報知制御部と
を備えることを特徴とする通信装置。
【請求項１３】
請求項１乃至１２の何れか一項に記載の通信装置を含む複数の通信装置と通信を行い、グループ通信を管理するサーバ装置であって、
前記通信装置の１つから相手先を指定してグループ通信の開始を要求されると、指定された相手先の通信装置に対して当該グループ通信の開始通知を送信し、当該開始通知に対して何れかの通信装置から参加の応答があれば当該グループ通信を開始し、開催中のグループ通信を終了する場合には、前記指定された相手先の通信装置に対して終了通知を送信する
ことを特徴とするサーバ装置。
【請求項１４】
通信部と指示入力部とを備え、前記通信部によりグループ通信の開始通知を受信すると当該開始通知に基づいて所定のサーバ装置を介して前記通信部によりグループ通信を行う通信装置における通信制御方法であって、
前記開始通知に基づいて開始したグループ通信に関して前記通信部における自装置からの情報送信又は前記指示入力部における指示の入力が無いまま当該グループ通信が終了すると、当該開始通知の受信を報知する
ことを特徴とする通信制御方法。
【発明の詳細な説明】
【技術分野】
【０００１】
本発明は、ＰＴＴ（push to talk）等のグループ通信を行う通信装置とその通信制御方法並びにグループ通信を管理するサーバ装置に係り、特に、呼出信号に応答しなかった場合に未応答の着信があったことを報知する機能を備えた通信装置に関するものである。
【背景技術】
【０００２】
一般に携帯電話機は、呼出信号を着信したにも係わらずこれに応答しなかった場合、その未応答の着信（不在着信）があったことをユーザに通知する機能を備えている。例えば、待ち受け画面の中央付近に「不在着信あり」等のメッセージを表示したり、画面の上部や下部の専用領域にピクトと称される図形を用いて不在着信があったことを表示したり、あるいはＬＥＤ等の発光素子を点灯したりすることによって、不在着信を通知する。
【０００３】
また、電話の着信だけでなく、電子メールの着信（新規メールの受信）があった場合にも、電話の場合と同様な方法によって電子メールの着信がユーザに通知される。
【０００４】
上記のような不在着信の表示は、通常、ユーザが所定の確認操作を行うことによって消去される。例えば電話の場合、着信履歴の画面を表示することによって消去され、電子メールの場合は、新規メールをサーバから受信してその受信したメールを画面に表示することにより消去される。ユーザがこれとは別の操作を行っても、不在着信の表示は消去されない。
【０００５】
また多くの携帯電話機では、不在着信のメッセージとともに、着信履歴やメール受信用の画面へ直接遷移するためのボタンをソフトキーとして表示する。ユーザがこの表示に対応するボタンを押してこれらの画面に遷移すると、不在着信のメッセージが待ち受け画面から消去される。
【０００６】
ところで、近年では電話機の通信態様が多様化しており、回線交換による従来の音声通話に加えて、ＩＰ（internet protocol）網を利用したパケット通信を行うことが可能な電話機が広く利用されている。例えば、携帯電話機同士でリアルタイムに文字をやり取りすることで会話を行う「チャットメール」がある（特許文献１参照）。チャットメールは、予め登録しておいたメンバによってグループを形成し、このグループ内でリアルタイムに文字などのデータをやり取りする「グループ通信」と呼ばれる通信態様の１つである。
【０００７】
また、昨今注目を集めているグループ通信の１つに、ＰＴＴ（push to talk）やＰｏＣ（push to talk over cellular）と呼ばれるものがある。ＰＴＴでは、グループを形成する複数の通信装置同士がＶｏＩＰ（voice over internet protocol）によるリアルタイムの音声通話を行う（特許文献２参照）。
【０００８】
ＰＴＴのグループ通信では、発言を希望するユーザが通信装置に設けられた所定のボタン（ＰＴＴボタン）を押下することにより、ユーザの発言要求がサーバ装置へ送信される。サーバ装置は、各通信装置からの発言要求を受けて、１つの通信装置に発言権を与える。発言権を与えられた通信装置は、ユーザの音声データをサーバ装置に送信し、サーバ装置はその音声データを他の通信装置へ一斉に送信する。これにより、グループを形成する複数の通信装置によってリアルタイムの音声通話が行われる。
【特許文献１】特開２００３−１７４５２０号公報
【特許文献２】特表２００５−５２２０６７号公報
【発明の開示】
【発明が解決しようとする課題】
【０００９】
一般に、ＰＴＴ通信を行う携帯電話機は、ＰＴＴ通信用のアプリケーションプログラムによってＰＴＴ通信に関する処理を実行する。このアプリケーションプログラムは、ユーザの指示により手動で起動するほか、ＰＴＴの着信（電子メール等によるＰＴＴ通信の開催通知の受信）があった場合に自動的に起動する。
【００１０】
ＰＴＴ通信用のアプリケーションプログラムは、着信に応答して自動的に起動すると、報知音などによってＰＴＴの着信をユーザに報知する。このとき、通話ボタンなどの操作によってＰＴＴ通信に参加するようにユーザの指示が入力されると、アプリケーションプログラムはサーバ装置に対してＰＴＴ通信に参加する旨の応答を送信し、ＰＴＴ通信を開始する。他方、ユーザの指示が一定時間以上入力されない場合、アプリケーションプログラムは参加応答を送信することなく自発的に終了する。
【００１１】
上述のように、通常はユーザの指示が入力されない限りＰＴＴ通信への参加応答は送信されないが、例えばＰＴＴ通信を常時行う必要がある場合などにおいては、ユーザの指示が無くても自動的に参加応答を送信してＰＴＴ通信を開始する方が好ましいことがある。
ところが、自動的にＰＴＴ通信を開始してしまうと、このＰＴＴ通信がユーザに認知されたものであるかどうか不明であるため、ＰＴＴ通信の終了後に適切な不在着信表示を行えないという不都合がある。
すなわち、ＰＴＴ通信を自動的に開始した場合は常に不在着信表示を行わないものとすると、ユーザがＰＴＴの着信があったことに全く気がつかない可能性があり、逆に不在着信表示を常に実行するものとすると、既知のＰＴＴ通信について不要な不在着信表示が行われてしまうという問題がある。
【００１２】
本発明はかかる事情に鑑みてなされたものであり、その目的は、開始通知に応答して開始したＰＴＴ等のグループ通信が終了した場合に、当該開始通知が受信されたことを適切に報知できる通信装置とその通信制御方法を提供すること、並びに、そのような通信装置によって行われるグループ通信を管理するサーバ装置を提供することにある。
【課題を解決するための手段】
【００１３】
本発明の第１の観点は、グループ通信を行う通信部と、指示を入力する入力部と、報知部と、前記通信部においてグループ通信の開始通知を受信すると当該開始通知に基づいて所定のサーバ装置を介して前記通信部によりグループ通信を行う制御部とを備える通信装置に関する。この通信装置において、前記制御部は、受信した開始通知に基づいて開始したグループ通信が終了すると、当該開始したグループ通信中に前記通信部による自装置からの情報送信又は前記入力部における指示の入力が無かった場合には、前記報知部により報知する。
【００１５】
好適には、前記制御部は、前記通信部において前記開始通知を受信すると、自動的に前記通信部によりグループ通信処理を行う。
【００１６】
好適には、前記第１の観点に係る通信装置は記憶部を備えており、前記制御部は、前記グループ通信中に前記通信部において送受信した通信情報を前記記憶部に記憶させ、当該グループ通信が終了すると、前記記憶部に記憶される通信情報をもとに自装置からの情報送信の有無を判定する。
前記制御部は、前記記憶部に記憶される通信情報に自装置から送信した情報が含まれない場合、自装置からの情報送信が無かったと判定してよい。
また、前記通信情報は、グループ通信中における情報の送信者を示す送信者名を含んでよく、前記記憶部は、自装置の使用者名を記憶してよく、前記制御部は、前記通信情報の中の送信者名に前記使用者名が含まれない場合、自装置からの情報送信が無かったと判定してよい。
【００１７】
前記通信情報において前記送信者名を表すデータは、そのデータ長が所定値以下に制限されていてよく、前記制御部は、前記記憶部にて記憶する前記使用者名のデータ長が前記所定値より長い場合、当該使用者名に前方一致する送信者名が前記通信情報に含まれているか否かにより、前記使用者名が前記通信情報に含まれているか否かを判定してよい。
【００１８】
好適には、前記第１の観点に係る通信装置は記憶部を備えており、前記制御部は、実行中のグループ通信に関して前記入力部において入力される指示に関する情報を前記記憶部に記憶させ、当該グループ通信が終了すると、前記記憶部に記憶される情報をもとに当該グループ通信に関して前記入力部に指示が入力されたか否かを判定する。
前記制御部は、前記記憶部に記憶される情報の中に、グループ通信中に入力された指示に関する情報が含まれる場合、当該グループ通信に関して前記入力部に指示が入力されたと判定してよい。
【００１９】
前記制御部は、グループ通信中に所定の条件が成立すると当該グループ通信を自動的に終了し、当該終了したグループ通信が自動的に開始されたものであり、かつ、当該グループ通信に関して前記通信部における自装置からの情報送信又は前記入力部における指示の入力が無かった場合には、前記報知部により前記報知を行ってよい。
前記所定の条件は、前記通信部においてグループ通信の終了通知が受信された場合、及び、前記通信部においてグループ通信に関わる情報の送受信が所定時間以上行われない場合の少なくとも一方でよい。
【００２０】
前記制御部は、前記開始通知に応答して自動的に開始された複数のグループ通信が終了すると、当該複数のグループ通信の少なくとも１つに関して前記通信部における自装置からの情報送信又は前記入力部における指示の入力が無かった場合には、前記報知部により前記報知を行ってよい。
【００２１】
本発明の第２の観点に係る通信装置は、グループ通信を行う通信部と、指示を入力する入力部と、情報を記憶する記憶部と、報知部と、前記通信部においてグループ通信の開始通知が受信されると、前記通信部によりグループ通信を自動的に開始するグループ通信制御部と、前記グループ通信制御部が自動的にグループ通信を開始すると、当該グループ通信中に送受信されるデータの送信者に関する情報、及び／又は、当該グループ通信中に前記入力部から入力される指示に関する情報を前記記憶部に記憶させ、前記自動的に開始したグループ通信が終了すると、当該グループ通信への参加を示す情報が前記記憶部に記憶されていない場合には、前記開始通知の受信を前記報知部により報知する報知制御部とを備える。
【００２２】
本発明の第３の観点は、上述した第１の観点又は第２の観点に係る通信装置を含んだ複数の通信装置と通信を行い、グループ通信を管理するサーバ装置に関する。このサーバ装置は、前記通信装置の１つから相手先を指定してグループ通信の開始を要求されると、指定された相手先の通信装置に対して当該グループ通信の開始通知を送信し、当該開始通知に対して何れかの通信装置から参加の応答があれば当該グループ通信を開始し、開催中のグループ通信を終了する場合には、前記指定された相手先の通信装置に対して終了通知を送信する。
【００２３】
本発明の第４の観点は、通信部と指示入力部とを備え、前記通信部によりグループ通信の開始通知を受信すると当該開始通知に基づいて所定のサーバ装置を介して前記通信部によりグループ通信を行う通信装置における通信制御方法に関する。この通信制御方法では、前記開始通知に基づいて開始したグループ通信に関して前記通信部における自装置からの情報送信又は前記指示入力部における指示の入力が無いまま当該グループ通信が終了すると、当該開始通知の受信を報知する。
【発明の効果】
【００２４】
本発明によれば、開始通知に応答して開始したＰＴＴ等のグループ通信が終了した場合、自装置からの情報送信や入力部における指示の入力の有無に基づいて、当該開始通知が受信されたことを適切に報知することができる。
【発明を実施するための最良の形態】
【００２５】
図１は、本発明の実施形態に係る通信システムの構成の一例を示す図である。
本実施形態に係る通信システムは、例えば図１に示すように、通信装置１００−１〜１００−５と、通信管理装置２００とを有する。
【００２６】
通信装置１００−ｉ（ｉは１から５までの整数を示す）は、例えば携帯電話機等の無線通信端末であり、基地局（３００−１，３００−２，３００−３）を介して通信網３００に接続される。また、通信装置１００−ｉは、通信網３００に接続される通信管理装置２００の制御に従ってデータ通信を行う。本実施形態では、一例としてＰＴＴ（push to talk）によるグループ通信（以下、ＰＴＴ通信と呼ぶことがある）を行うものとする。ＰＴＴ通信において伝送されるデータには、例えば通話音声や、画像、文字、楽曲などのデータが含まれる。
【００２７】
通信装置１００−ｉは、ＰＴＴ通信を行う場合、ＰＴＴ通信を開始する主催者の装置（以下、主催者端末と呼ぶことがある）になるか、又は、ＰＴＴ通信の開通知を受けてＰＴＴ通信に参加する装置（以下、参加者端末と呼ぶことがある）になる。
【００２８】
自らが主催者端末となってＰＴＴ通信を開始する場合、まず通信装置１００−ｉは通信管理装置２００にアクセスし、自らの記憶部に格納されているアドレス帳などから選択した複数の相手先を指定して、ＰＴＴ通信の開始を要求する。この要求を受けた通信管理装置２００が後述するＰＴＴ通信管理用のサイトを設置すると、通信装置１００−ｉは、設置されたサイトのネットワークアドレスやログイン用ＩＤなどの情報を通信管理装置２００から取得する。
【００２９】
他方、通信装置１００−ｉは、通信管理装置２００から送られてくるＰＴＴ通信の開始通知を受信すると、例えば画像や光、音、振動などを発生する報知部により開始通知が受信されたことをユーザに報知する。この報知の際、例えばユーザのキー操作などによってＰＴＴ通信への参加指示が入力されると、通信装置１００−ｉはＰＴＴ通信に参加する旨の応答を通信管理装置２００に送信するとともに、開始通知に含まれる情報に基づいて通信管理用のサイトにアクセスし、参加者端末としてＰＴＴ通信を開始する。
【００３０】
通信管理装置２００は、通信装置（１００−１〜１００−５）によって行われるＰＴＴのグループ通信を管理する。
通信管理装置２００は、主催者端末より発せられたＰＴＴ通信の開始要求を受信すると、通信管理装置２００上（あるいはネットワーク上の他のサーバ装置でもよい）に、ＰＴＴ通信管理用のサイトを設ける。このサイトは、ＰＴＴ通信に参加する各通信装置の情報（電話番号、電子メールアドレスなど）の管理や、各通信装置のＰＴＴ通信への参加と退場、通信装置間のデータの送受信、発言を要求する通信装置への発言権の付与など、ＰＴＴ通信に関わる種々の管理や制御を行う。
【００３１】
通信管理装置２００は、ＰＴＴ通信の開始要求に応じてＰＴＴ通信管理用のサイトを設置すると、そのサイトの情報を主催者端末に送信するとともに、ＰＴＴ通信の開始要求において指定された参加者端末それぞれにＰＴＴ通信の開始通知を送信する。ＰＴＴ通信の開始通知には、例えばＰＴＴ通信の主催者端末の情報（電話番号、電子メールアドレスなど）や、上述したＰＴＴ通信管理用サイトのネットワークアドレス、ログイン用ＩＤなど、ＰＴＴ通信に参加するために必要な各種の情報が含まれる。
【００３２】
通信管理装置２００は、参加者端末に対してＰＴＴ通信の開始通知を送信すると、この開始通知に対する参加者端末からの応答を監視し、少なくとも１つの参加者端末からＰＴＴ通信に参加する旨の応答を受信した場合、この参加者端末と主催者端末とによるＰＴＴ通信を開始する。
【００３３】
ＰＴＴ通信に参加する１の通信装置において、例えばＰＴＴボタンの押下等により発言要求（データ送信要求）が発せられると、通信管理装置２００は他に発言中（データ送信中）の通信装置がいなければ、当該１の通信装置に対して発言権（データ送信権）を付与する。すなわち、当該１の通信装置から送られてくるデータ（通話音声や文字など）を受信し、これを他の参加中の通信装置へ送信する。発言中の通信装置が他にあれば、当該１の通信装置に対して拒否の応答を返す。幾つかの通信装置の発言要求が重なった場合には、所定のルールにより各通信装置の優先順位を決定し（例えば発言回数が少ない端末ほど順位を高くする等）、これに基づいて各通信装置へ順番に発言権を付与する。
【００３４】
通信管理装置２００は、主催者端末により発せられたＰＴＴ通信の終了要求を受信すると、ＰＴＴ通信の終了通知を参加者端末にそれぞれ送信し、ＰＴＴ通信を終了する。この場合、通信管理装置２００は、ＰＴＴ通信に参加中の通信装置だけでなく、ＰＴＴ通信の開始通知に参加応答を返さなかった未参加の通信装置に終了通知を送信してもよい。
【００３５】
次に、通信装置の構成例について説明する。
【００３６】
図２は、本発明の実施形態に係る通信装置（１００−１〜１００−５）の構成の一例を示す図である。以下では、図２に示す構成を有する通信装置をまとめて「通信装置１００」と呼ぶことがある。
図２に示す通信装置１００は、アンテナ１０１と、通信部１０２と、キー入力部１０３と、音声処理部１０４と、スピーカ１０５と、マイクロフォン１０６と、表示部１０７と、記憶部１０８と、制御部１１０とを有する。
【００３７】
通信部１０２は、通信網３００に接続される基地局（３００−１，３００−２，３００−３）と無線通信を行う。例えば通信部１０２は、制御部１１０から供給される送信データに所定の変調処理を施して無線信号に変換し、アンテナ１０１から送出する。また、アンテナ１０１において受信される基地局からの無線信号に所定の復調処理を施して受信データに変換し、制御部１１０に出力する。
【００３８】
キー入力部１０３は、例えば電源キー、通話キー、数字キー、文字キー、方向キー、決定キー、ＰＴＴボタンなど、各種の機能が割り当てられたキーを有しており、これらのキーがユーザによって操作された場合に、その操作内容に対応する信号を発生し、これをユーザの指示として制御部１１０に入力する。
【００３９】
音声処理部１０４は、スピーカ１０５において出力される音声信号やマイクロフォン１０６において入力される音声信号の処理を行う。すなわち、マイクロフォン１０６から入力される音声信号に増幅、アナログ−デジタル変換、符号化等の信号処理を施し、デジタルの音声データに変換して制御部１１０に出力する。また、制御部１１０から供給される音声データに復号化、デジタル−アナログ変換、増幅等の信号処理を施し、アナログの音声信号に変換してスピーカ１０５に出力する。
【００４０】
表示部１０７は、例えば液晶表示パネルや有機ＥＬパネルなどの表示デバイスを用いて構成されており、制御部１１０から供給される映像信号に応じた画像を表示する。例えば、発信時における発信先の電話番号、着信時における着信相手の電話番号、受信メールや送信メールの内容、日付、時刻、バッテリ残量、待ち受け画面などの各種の情報や画像を表示する。
【００４１】
記憶部１０８は、制御部１１０において処理に利用される各種のデータを記憶する。例えば、制御部１１０に備わるコンピュータのプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。
【００４２】
記憶部１０８は、任意のプログラムのアクセスが許可された外部データ保存領域ＡＲ１と、特定のアプリケーションプログラムのアクセスが許可されたアプリケーション領域ＡＲ２を有する。例えばＰＴＴ通信に係わる処理を実行するアプリケーションプログラム（以下、ＰＴＴアプリと呼ぶ）は、アプリケーション領域ＡＲ２内の専用の領域に、プログラム終了後も保存する必要がある着信履歴などのデータを保存する。
【００４３】
記憶部１０８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００４４】
制御部１１０は、通信装置１００の全体的な動作を統括的に制御する。すなわち、通信装置１００の各種の処理（回線交換網を介して行われる音声通話、ＰＴＴのグループ通信、電子メールの作成と送受信、インターネットのＷｅｂサイトの閲覧など）がキー入力部１０３の操作に応じて適切な手順で実行されるように、上述した各ユニットの動作（通信部１０２における信号の送受信、音声処理部１０４における音声の入出力、表示部１０７における画像の表示など）を制御する。
例えば制御部１１０は、記憶部１０８に格納されるプログラム（オペレーティングシステム、アプリケーション等）に基づいて処理を実行するコンピュータを備えており、プログラムが指示する手順に従って上述した処理を実行する。
【００４５】
また、制御部１１０は、通信部１０２においてＰＴＴ通信の開始通知を受信するとＰＴＴアプリを自動的に起動し、予め設定された動作モード（手動応答モード、自動応答モード）に応じて次のような処理を行う。
【００４６】
＜手動応答モード＞
手動応答モードに設定されている場合、制御部１１０は、起動したＰＴＴアプリにおいてＰＴＴ通信開始の指示がキー入力部１０３から入力されるのを待つ。この指示の入力があった場合、制御部１１０は、通信部１０２によってＰＴＴ通信の開始処理を実行する。すなわち、ＰＴＴ通信に参加する旨の応答を通信部１０２から通信管理装置２００へ送信するとともに、開始通知に含まれる情報に基づいて通信管理装置２００が設置したサイトにアクセスし、ＰＴＴ通信を開始する。
【００４７】
他方、この開始指示の入力が所定時間内になかった場合、制御部１１０は、起動したＰＴＴアプリを終了するとともに、ＰＴＴ通信の開始通知に応答しなかったこと（すなわちＰＴＴの不在着信があったこと）を示すフラグデータ（ｆｇ＝‘１’）を記憶部１０８の外部データ保存領域ＡＲ１に保存する。
【００４８】
制御部１１０は、ＰＴＴ開始通知に応答しなかったことを示すフラグデータ（ｆｇ＝‘１’）を外部データ保存領域ＡＲ１に保存する際、このＰＴＴ通信に関連する情報を「不在着信履歴」としてアプリケーション領域ＡＲ２に保存する。不在着信履歴には、例えば主催者端末や参加者端末の情報（名前、電話番号など）や開始通知の送信日時の情報などが含まれる。
【００４９】
＜自動応答モード＞
自動応答モードに設定されている場合、制御部１１０は、キー入力部１０３からの指示入力の有無に係わらず、通信部１０２によってＰＴＴ通信の開始処理を実行する。すなわち、ＰＴＴ通信に参加する旨の応答を通信部１０２から通信管理装置２００へ送信するとともに、開始通知に含まれる情報に基づいて通信管理装置２００が設置したサイトにアクセスし、ＰＴＴ通信を開始する。
【００５０】
制御部１１０は、自動応答モードにおいてＰＴＴ通信を開始すると、通信部１０２において送受信される情報を記憶部１０８のアプリケーション領域ＡＲ２に通信ログとして保存する。通信ログとして保存される情報は、主として通信管理装置２００との通信情報や、通信管理装置２００を介してＰＴＴ通信を行う他の通信装置との通信情報であり、例えばＰＴＴ通信の送信者名やその送信データ（文字データなど）を含む。
更にこの場合、制御部１１０は、実行中のＰＴＴ通信に関連してキー入力部１０３に入力される指示に関する情報を、記憶部１０８のアプリケーション領域ＡＲ２にキー操作ログとして保存する。このキー操作ログには、例えば、ＰＴＴ通信中にキー入力部１０３のどのキーが操作されたかなどを示す情報が含まれる。
【００５１】
自動応答モードにおいて自動的に開始されたＰＴＴ通信中に所定の条件が成立すると、制御部１１０はＰＴＴ通信を自動的に終了する。例えば、通信管理装置２００から送られてくるＰＴＴ通信の終了通知が通信部１０２において受信された場合や、通信部１０２においてＰＴＴ通信に関わる情報の送受信が所定時間以上行われない場合にＰＴＴ通信を自動終了する。
【００５２】
自動的に開始されたＰＴＴ通信が自動的に終了する際、制御部１１０は、アプリケーション領域ＡＲ２に保存される通信ログに基づいて、ＰＴＴ通信に関する自装置からの情報送信があったか否か判定する。
【００５３】
例えば制御部１１０は、記憶部１０８に保存されている自装置の使用者名（他の通信装置に通知される自装置の使用者の通称など）と一致する送信者名を通信ログの中から検索し、一致するものが含まれていない場合、自装置からの情報送信がなかったと判定する。
【００５４】
文字によるチャットを例に挙げると、この場合の通信ログには、例えば図５の画面Ｌ２に示すように、「送信者名」、「＞（区切り記号）」、「発言内容」、「改行コード」の順でデータが記録される。制御部１１０は、上記のような形式の通信ログにおいて「＞（区切り記号）」と「改行コード」とに挟まれた文字列を送信名として抽出し、これと自装置の使用者名とが一致するか否か判定する。
【００５５】
送信者名のデータ長が所定値より長い場合、通信ログには例えば送信者名の先頭部分だけが記録される。このように、通信ログ中の「送信者名」のデータ長が所定値以下に制限されており、かつ自装置の使用者名のデータ長がこの所定値より長い場合、制御部１１０は、自装置の使用者名と前方一致する送信者名が通信ログに含まれているか判定する。例えば、通信ログにおいて「送信者名」の文字数が８文字以下に制限されており、自装置の使用者名が１０文字の場合、制御部１１０は、自装置の使用者名の先頭８文字分の文字列と一致する「送信者名」が通信ログに含まれているか判定する。
【００５６】
更に制御部１１０は、自動的に開始されたＰＴＴ通信が終了する際、アプリケーション領域ＡＲ２に保存されるキー操作ログに基づいて、ＰＴＴ通信に関するキー入力部１０３への指示の入力があったか否かを判定する。例えば、ＰＴＴ通信の送信者の投稿内容を読むために表示部１０７の画面をスクロールする操作や、ＰＴＴ通信において投稿された画像を表示部１０７において拡大表示する操作などがキー操作ログに記録されている場合、制御部１１０はＰＴＴ通信に関する指示の入力があったと判定する。
【００５７】
上記の判定を行った結果、自装置からの情報送信がなく、キー操作部１０３への指示の入力もなかった場合、制御部１１０はＰＴＴ通信の開始通知に応答しなかったこと（すなわちＰＴＴの不在着信があったこと）を示すフラグデータ（ｆｇ＝‘１’）を記憶部１０８の外部データ保存領域ＡＲ１に保存する。
【００５８】
なお、自動応答モードにおいてＰＴＴ通信を自動的に実行しているとき、別のＰＴＴ通信の開始通知が通信部１０２において受信される可能性がある。このような場合、制御部１１０は、後のＰＴＴ通信に応答せずに先のＰＴＴ通信を続行してもよいし、あるいは、先のＰＴＴ通信を中断して後のＰＴＴ通信を自動的に開始してもよい。
後のＰＴＴ通信を自動的に開始する場合、制御部１１０は、後のＰＴＴ通信の終了時にそのＰＴＴ通信について上述した判定を行うとともに、中断した先のＰＴＴ通信についても同様な判定を行う。そして、２つのＰＴＴ通信の何れか１つにおいて自装置からの情報送信及びキー入力部１０３への指示入力が無かったと判定した場合、ＰＴＴの不在着信があったことを示すフラグデータ（ｆｇ＝‘１’）を記憶部１０８の外部データ保存領域ＡＲ１に保存する。
自動応答モードにおいて３以上のＰＴＴ通信を重複して実行した場合も上記と同様であり、その何れか１つのＰＴＴ通信において自装置からの情報送信及びキー入力部１０３への指示入力が無かったと判定した場合、制御部１１０はＰＴＴの不在着信があったことを示すフラグデータ（ｆｇ＝‘１’）を記憶部１０８の外部データ保存領域ＡＲ１に保存する。
【００５９】
制御部１１０は、ＰＴＴ開始通知に応答しなかったことを示すフラグデータ（ｆｇ＝‘１’）を外部データ保存領域ＡＲ１に保存する際、手動応答モードの場合と同様に、この発信元に関する不在着信履歴をアプリケーション領域ＡＲ２に保存する。
【００６０】
上記の判定やフラグデータの保存、不在着信履歴の保存を行った後、制御部１１０はＰＴＴアプリを終了し、例えば待ち受け画面表示用のアプリケーションプログラム（以下、待ち受けアプリと呼ぶことがある）など、別のアプリケーションプログラムを実行する。
【００６１】
以上が手動応答モード及び自動応答モードにおける制御部１１０の処理の説明である。
【００６２】
制御部１１０は、ＰＴＴアプリが未起動のとき（例えば待ち受けアプリを実行しているとき）、外部データ保存領域ＡＲ１に保存されるフラグデータｆｇに基づいて、ＰＴＴ開始通知に応答しなかったことを示す情報（以下、不在着信通知と呼ぶ）を表示部１０７に表示する。例えば外部データ保存領域ＡＲ１に値「１」のフラグデータｆｇが保存されている場合、制御部１１０は、待ち受け画面上に「ＰＴＴ着信あり」などのメッセージを表示する。
【００６３】
この不在着信通知に応じて、不在着信履歴を確認するための操作がキー入力部１０３に対して行われた場合、制御部１１０は表示部１０７における不在着信通知の表示を停止する。不在着信履歴を確認する方法には、例えば次に述べる２つの方法がある。
【００６４】
第１の方法では、キー入力部１０３から所定の指示（第１の起動指示）を入力してＰＴＴアプリを起動し、その起動したＰＴＴアプリにおいて自動的に不在着信履歴の表示処理を実行する。
すなわち制御部１１０は、第１の起動指示に応じてＰＴＴアプリを起動すると、この起動したＰＴＴアプリにおいて自動的にアプリケーション領域ＡＲ２から不在着信履歴を読み出して表示部１０７に表示する。
例えば制御部１１０は、表示部１０７の画面に「ＰＴＴ着信あり」等の不在着信通知を表示するとき、これと同じ画面にキー入力部１０３の特定のキーを表すボタンを表示する（例えば図５の画面Ｌ３における「ＯＫ」ボタン）。この画面が表示されているとき、上記特定のキーがユーザによって押下されると、制御部１１０はＰＴＴアプリを起動し、当該起動したＰＴＴアプリにおいて自動的に不在着信履歴の画面を表示する。
【００６５】
他方、第２の方法では、所定の起動指示（第２の起動指示）をキー入力部１０３から入力することによってＰＴＴアプリを起動した後、その起動したＰＴＴアプリにおいて更に所定の指示をキー入力部１０３から入力することにより、不在着信履歴の表示処理を実行する。
すなわち制御部１１０は、キー入力部に入力される第２の起動指示に応じてＰＴＴアプリを起動した後更に所定の指示がキー入力部１０３に入力されると、アプリケーション領域ＡＲ２から不在着信履歴を読み出して表示部１０７に表示する。
例えば、制御部１１０は、待ち受け画面を表示しているときキー入力部１０３の所定のキー（メニューキー）が押下されると、各種機能の選択を行うメニュー画面を表示部１０７に表示する。このメニュー画面からＰＴＴアプリを選択するようにキー入力部１０３が操作されると、制御部１１０はこれを上述した第２の起動指示と判断して、ＰＴＴアプリを起動する。制御部１１０は、この第２の起動指示を受けてＰＴＴアプリを起動すると、ＰＴＴ通信に関する更に詳細な機能の選択を行うためのメニュー画面を表示部１０７に表示する。このメニュー画面から不在着信履歴の表示を行うようにキー入力部１０３が操作されると、制御部１１０はアプリケーション領域ＡＲ２から不在着信履歴を読み出して、表示部１０７に表示する。
【００６６】
制御部１１０は、上記のような方法でＰＴＴアプリを起動して不在着信履歴を表示した場合、アプリケーション領域ＡＲ２に格納されるフラグデータｆｇの値を「１」から「０」に変更する。ＰＴＴアプリが終了して待ち受けアプリに戻ったときにフラグデータｆｇの値が「１」になっていない場合、制御部１１０はＰＴＴの不在着信が存在しないものと判断して、表示部１０７における不在着信通知の表示を停止する。
【００６７】
上述した制御部１１０は、ＰＴＴ通信に関連するブロックとして、例えばグループ通信制御部１１１と報知制御部１１２を有する。
【００６８】
グループ通信制御部１１１は、グループ通信に係わる処理を行うためのブロックであり、例えば上述した自動応答モードにおいてＰＴＴ通信の開始や終了に係わる処理を行う。すなわち、自動応答モードにおいて通信部１０２にＰＴＴ通信の開始通知が受信されると、通信部１０２によりＰＴＴ通信を自動的に開始する。
【００６９】
報知制御部１１２は、ＰＴＴの不在着信の報知に係わる処理を行う。すなわち、自動応答モードにおいてグループ通信制御部１１１が自動的にＰＴＴ通信を開始すると、当該ＰＴＴ通信中に送受信されるデータの送信者に関する情報（通信ログ）や、当該ＰＴＴ通信中にキー入力部１０３から入力される指示に関する情報（キー操作ログ）を記憶部１０８に保存する。そして、このグループ通信が終了したとき当該グループ通信への参加を示す情報が記憶部１０８に記憶されていない場合には、不在着信通知を表示部１０７に表示する。
【００７０】
ここで、上述した構成を有する通信装置の動作について、図３及び図４のフローチャートを参照して説明する。
【００７１】
図３は、待ち受け状態からＰＴＴアプリを起動する動作の一例を示すフローチャートである。
【００７２】
通信装置の電源がオンすると、制御部１１０は待ち受けアプリを起動する（ステップＳＴ１００）。
制御部１１０は、起動した待ち受けアプリにおいて、外部データ保存領域ＡＲ１に記憶されるフラグデータｆｇの値をチェックする（ステップＳＴ１０１）。フラグデータｆｇの値が「１」の場合、制御部１１０は、未応答のＰＴＴ開始通知の受信があったと判定して、表示部１０７の画面に不在着信通知を表示する（ステップＳＴ１０３）。他方、フラグデータｆｇの値が「０」の場合は、表示部１０７の画面から不在着信通知を消去する（ステップＳＴ１０４）。
【００７３】
待ち受けアプリの実行中にＰＴＴ通信の開始通知が通信部１０２において受信されると（ステップＳＴ１０５）、制御部１１０は待ち受けアプリをサスペンド状態に設定してＰＴＴアプリを起動する（ステップＳＴ２００）。
また、待ち受けアプリの実行中にＰＴＴの着信履歴を表示するための操作がキー入力部１０２に対して行われると（ステップＳＴ１０６）、制御部１１０はＰＴＴアプリを起動して、ＰＴＴの着信履歴を表示部１０７の画面に表示する（ステップＳＴ３００）。この画面において不在着信履歴を表示した場合、制御部１１０は外部データ保存領域ＡＲ１に記憶されるフラグデータｆｇの値を「０」に設定する。
ＰＴＴの着信履歴の表示が終了すると、制御部１１０はＰＴＴアプリを終了し、サスペンド状態に設定した待ち受けアプリを再び起動する。
【００７４】
図４は、ＰＴＴ通信の開始通知の受信に応じてＰＴＴアプリが自動的に起動したときの通信装置の動作例を示すフローチャートである。
【００７５】
制御部１１０は、通信部１０２においてＰＴＴ通信の開始通知が受信されると、ＰＴＴアプリを自動的に起動して、ＰＴＴ着信の報知動作を実行する（ステップＳＴ２０１）。例えば表示部１０７の画面にＰＴＴの着信を告げるメッセージを表示させたり、スピーカ１０５において音を発生させたりすることにより、ＰＴＴ通信の開始通知が受信されたことを報知する。
【００７６】
次いで制御部１１０は、動作モードが自動応答モードであるか手動応答モードであるかを判定する（ステップＳＴ２０２）。
手動応答モードの場合、制御部１１０はキー入力部１０３に設けられた所定のキー（ＰＴＴ通信の開始ボタン）が押下されたか否かを監視する（ステップＳＴ２０３）。所定時間内に開始ボタンが押下されない場合、制御部１１０はＰＴＴ通信に対する参加指示が入力されなかったと判定し（ステップＳＴ２０４）、外部データ保存領域ＡＲ１のフラグデータｆｇを「１」に設定し（ステップＳＴ２１１）、ＰＴＴアプリを終了する。
【００７７】
他方、自動応答モードの場合、制御部１１０はキー入力部１０３に対する操作の有無に係わらずＰＴＴ通信の開始処理を実行する（ステップＳＴ２０５）。すなわち、通信管理装置２００に対してＰＴＴ通信に参加する旨の応答を送信するとともに、受信されたＰＴＴ通信の開始通知に含まる情報に基づいてＰＴＴ通信管理用のサイトにログインし、ＰＴＴ通信を開始する。
【００７８】
ＰＴＴ通信処理（ステップＳＴ２０６）の実行中において、制御部１１０は、ＰＴＴ通信に関連する情報の送受信やキー入力部１０３への操作を監視し、そのログ（通信ログ、キー操作ログ）を記憶部１０８に記憶させる。
【００７９】
また制御部１１０は、キー入力部１０３に対する操作や通信部１０２における情報の送受信が所定時間以内に行われているか監視し（ステップＳＴ２０７）、所定時間以上キー操作や情報の送受信が行われていないと判定した場合、ＰＴＴ通信の終了処理を実行する（ステップＳＴ２０８）。通信管理装置２００からＰＴＴ通信の終了通知を受信した場合やキー入力部１０３においてＰＴＴ通信の終了指示が入力された場合にも、ＰＴＴ通信処理を終了する。
【００８０】
通信処理を終了すると、制御部１１０は、自装置からの情報送信が行われたことを示す情報が記憶部１０８の通信ログに含まれているか判定する（ステップＳＴ２０９）。自装置からの情報送信の情報が含まれていない場合、制御部１１０は、ＰＴＴ通信に関連するキー操作が行われたことを示す情報が記憶部１０８のキー操作ログに含まれているか判定する（ステップＳＴ２１０）。ＰＴＴ通信に関連するキー操作の情報も含まれていない場合、制御部１１０は、外部データ保存領域ＡＲ１のフラグデータｆｇを「１」に設定して（ステップＳＴ２１１）、ＰＴＴアプリを終了する。
自装置からの情報送信の情報が通信ログに含まれている場合や、ＰＴＴ通信に関連するキー操作の情報がキー操作ログに含まれている場合、制御部１１０はフラグデータｆｇの値を変更することなくＰＴＴアプリを終了する。
【００８１】
図５は、自動応答モードにおける表示部１０７の画面遷移の一例を示す図である。
待ち受け時（画面Ｌ１）に通信部１０２がＰＴＴ開始通知を受信すると、ＰＴＴアプリが自動的に起動してＰＴＴ通信を開始する。ＰＴＴ通信においては、例えば画面Ｌ２に示すように、送信者名とその投稿内容が表示部１０７の画面に表示される。
【００８２】
ＰＴＴ通信が終了すると、記憶部１０８の通信ログやキー操作ログにＰＴＴ通信への参加を示す情報が含まれているか制御部１１０において判定される。この判定の結果、参加を示す情報が含まれていない場合、ＰＴＴアプリ終了後の待ち受け画面Ｌ３には不在着信通知（「ＰＴＴ通信あり」）が表示される。
不在着信通知は、ＰＴＴアプリではない他のアプリケーションプログラムによる割り込み処理が発生しても消去されず、待ち受け画面に表示され続ける。
他方、画面Ｌ３における「ＯＫ」の表示に対応したキー入力部２０３の所定のキーが押下されると、ＰＴＴアプリが起動して不在着信履歴の表示が行われる。この表示後、再び待ち受け画面に戻ったとき、不在着信通知（「ＰＴＴ通信あり」）は表示部１０７の画面から消去される。
【００８３】
以上説明したように、本実施形態によれば、開始通知に応答して自動的に開始したＰＴＴ通信が終了した場合、通信部１０２における自装置からの情報送信やキー入力部１０３における指示の入力の有無に基づいて、未応答のＰＴＴ通信開始通知が受信されたこと（ＰＴＴの不在着信があること）をユーザに対して適切に報知することができる。
すなわち、自装置からの情報送信を示す記録が通信ログに含まれていない場合や、キー入力部１０３における指示の入力を示す記録がキー操作ログに含まれていない場合、ユーザがＰＴＴ通信に全く関与しておらず、ＰＴＴ通信が開始されたことをユーザが認知していないと判断できるため、このような場合にＰＴＴの不在着信があることを報知すること（例えば表示部１０７に表示する等）によって、ユーザがＰＴＴの不在着信の存在に全く気付かないような事態を有効に回避できる。また、自装置からの情報送信を示す記録が通信ログに含まれている場合や、キー入力部１０３における指示の入力を示す記録がキー操作ログに含まれている場合は、ユーザがＰＴＴ通信に関与しており、ＰＴＴ通信が開始されたことをユーザが認知していると判断できるため、このような場合に不在着信の報知を行わないようにすることで、無駄な報知を行わずに済む。
【００８４】
ここまで本発明の一実施形態について説明したが、本発明は上記の形態のみに限定されるものではなく、種々の改変が可能である。
【００８５】
上述の実施形態では不在着信の報知を行う場合に「ＰＴＴ着信あり」などのメッセージを表示部１０７の画面に表示する例を挙げているが、本発明はこれに限定されない。例えばスピーカ１０５において発生する音や、不図示の振動部によって発生する振動、不図示の発光部によって発生する光などにより、不在着信の報知を行ってもよい。
【００８６】
図４に示すフローチャートでは、ＰＴＴ通信処理（ステップＳＴ２０６）を終了した後に通信ログやキー操作ログに基づく判定処理（ステップＳＴ２０９，ＳＴ２１０）が行われているが、本発明はこれに限定されない。例えば、キー入力部１０３におけるユーザの操作によってＰＴＴ通信が終了した場合、明らかにユーザがＰＴＴ通信を認知していると判断できるため、制御部１１０は判定処理（ステップＳＴ２０９，ＳＴ２１０）を行わずにＰＴＴアプリを終了してもよい。
【００８７】
通信ログやキー操作ログは、自動応答モード時にのみ記録してもよいし、他の動作モードにおいて記録してもよい。
【００８８】
上述の実施形態では、グループ通信の一例としてＰＴＴを挙げているが、本発明はこれに限定されず、他の種々のグループ通信にも適用可能である。
【００８９】
上述した通信装置の構成要素の機能は、全てをソフトウェアで実現しても良いし、その少なくとも一部をハードウェアで実現しても良い。例えば、制御部１１０における処理や通信部１０２、音声処理部１０４におけるデータ処理は、１つ又は複数のプログラムによってコンピュータ上で実現しても良いし、その少なくとも一部をハードウェアで実現しても良い。
【図面の簡単な説明】
【００９０】
【図１】本発明の実施形態に係る通信システムの構成の一例を示す図である。
【図２】本発明の実施形態に係る通信装置の構成の一例を示す図である。
【図３】待ち受け状態からＰＴＴアプリを起動する動作の一例を示すフローチャートである。
【図４】ＰＴＴ通信の開始通知の受信に応じてＰＴＴアプリが自動的に起動したときの通信装置の動作例を示すフローチャートである。
【図５】自動応答モードにおける表示部の画面遷移の一例を示す図である。
【符号の説明】
【００９１】
１０１…アンテナ、１０２…通信部、１０３…キー入力部、１０４…音声処理部、１０５…スピーカ、１０６…マイクロフォン、１０７…表示部、１０８…記憶部、１１０…制御部、１１１…グループ通信制御部、１１２…報知制御部、１００，１００−１〜１００−５…通信端末、２００…通信管理装置、３００…通信網
【図１】
0004777061.tif 000002
【図２】
0004777061.tif 000003
【図３】
0004777061.tif 000004
【図４】
0004777061.tif 000005
【図５】
0004777061.tif 000006